(57)【要約】エアコン網フィルターセルフクリーニング装置を提供する。エアコン網フィルターセルフクリーニング装置を床置き型エアコンの空気通路のスクロールケーシング１の空気の吸い込み口にある網フィルターホルダー２に設け、網フィルター３の外側に配置すると共に、上下のホルダーに溝付きの網フィルターガイド２１を設置し、網フィルター３をガイドの溝で網フィルターホルダー２に固定する。網フィルタークリーニング装置において、ブラシを設けた掃除ユニット４と、掃除ユニット４に固定している駆動モーター５と、駆動モーター５と接続している伝動機構６と、網フィルター３の左右側部に設けたラックユニット７と、網フィルター３の下に設けられて、埃を収集するための集塵箱８と、集塵箱８と網フィルター３の間に設けられた埃交換装置９とを備える。【選択図】図２
2010525285.tif 000002
【特許請求の範囲】
【請求項１】
床置きエアコンの空気通路のスクロールケーシングの空気の吸い込み口のフィルターホルダーに設けられて、フィルターの外側にあって、ブラシを設けた掃除ユニットと、掃除ユニットに固定された駆動モーターと、駆動モーターと接続している伝動機構と、フィルターの左右に設けられたラックユニットと、フィルターの下に設けられて、埃を収集する集塵箱と、集塵箱とフィルターの間に設けられた埃交換装置とを含んで、上記の駆動モーターが伝動機構と接続して、掃除ユニットを駆動してラックユニットに沿ってフィルターに貼り付けて上下にスライドして、ブラシで埃を落として、更に埃交換装置を介して埃を集塵箱に入れることを特徴とするエアコンフィルターセルフクリーニング装置。
【請求項２】
上記のフィルターホルダーがでスクロールケーシングの空気の吸い込み口に固定されて、上、下ホルダーに溝付けのフィルターガイドを設け、フィルターがガイドでフィルターホルダーに固定されていることを特徴とする請求項１に記載のエアコンフィルターセルフクリーニング装置。
【請求項３】
上記のラックユニットがフィルターの左右に設けられたラックと、それぞれラックと係り止めているラック防塵カバーと、ラックに設けられて、掃除ユニットをリミットするスクロールスイッチとを含んで、スクロールスイッチがラックの上下に設けられて、ラック防塵カバーがラックの外側に係り止めて、埃を防止して、防塵カバーとラックの間にフィルターの側部に対応して隙間を設けていることを特徴とする請求項１に記載のエアコンフィルターセルフクリーニング装置。
【請求項４】
上記の掃除ユニットが掃除ホルダー、ブラシと掃除ユニット防塵カバーを含んで、掃除ホルダーがフィルターの外側に設けられて、ブラシがホルダーのフィルターに近づけた片側に設けられて、掃除ホルダーがフィルターの左右に設けられたスライドシャフトで位置を付けて、上下にスライドして、埃を掃除して、スライドシャフトがフィルターのホルダーに縦に装着することを特徴とする請求項１に記載のエアコンフィルターセルフクリーニング装置。
【請求項５】
上記の駆動モーターと伝動機構が掃除ホルダーに設けられて、伝動機構が駆動軸、駆動軸の両端部に設けられた伝動歯車と両端の間に軸で固定された受動歯車を含み、伝動歯車がそれぞれフィルターの左右のラックと噛み合って、駆動モーターが駆動歯車と受動歯車の噛合しで、駆動軸の回転を動かして、それによって掃除ユニットを駆動して、ラックでスライドシャフトに沿って上下にスライドして、埃を掃除して、防塵カバーが掃除ホルダーの外側に係り止められて、埃を防止することを特徴とする請求項１、３または４に記載のエアコンフィルターセルフクリーニング装置。
【請求項６】
上記のフィルターの下に集塵箱ホルダーを設けて、ホルダーが対外にフィルターと同じな平面にある板で、上、下の開口溝を設けて、ホルダーが「日」の形を呈して、集塵箱が横方向にホルダーの下の開口溝に設けられて、集塵箱の開口が上へ向かって、上記の埃交換装置が集塵箱ホルダーの開口が外に向かった上開口溝に係り止められて、開口が外に向かって、掃除ユニットで落とされた埃が当該装置に止められて集塵箱に入ることを特徴とする請求項１に記載のエアコンフィルターセルフクリーニング装置。
【請求項７】
上記の埃交換装置が長方形の枠体で、枠体の横方向枢に埃を吸着する毛ローラーを設けて、毛ローラーが楕円柱体の構造で、リセット機構を設けて、スプリングやエキスパンダーでもよいが、左右の両端が外側に向かって、またシフトブロックを設けていることを特徴とする請求項６に記載のエアコンフィルターセルフクリーニング装置。
【請求項８】
上記の埃交換装置が枠体内で毛ローラーの上方の内枢に沿って当て板を設け、当て板もリセット機構を設け、それの毛ローラーとの隣接面にフェルトを設け、第二回の埃の交換を実現して、毛ローラーの下にその接線に沿って外に柔らかい当て板を設けていることを特徴とする請求項７に記載のエアコンフィルターセルフクリーニング装置。
【請求項９】
上記の埃交換動作が、掃除ユニットのブラシがフィルターに付着した埃を落として、掃除ユニットが引き続き下にスライドして、埃交換装置を介して、埃を順次毛ロールと当て板に吸着したり、止めたりして、埃交換装置を経た後に、掃除ユニットがラックの下部のストロークスイッチに止められて戻して、埃交換装置を経る時に、埃交換装置の左右端の左右のシフトブロックの回転を動かし、毛ローラーと柔らかい当て板の回転を動かし、埃を集塵箱に入れて、スプリングやエキスパンダーで更に毛ローラーと柔らかい当て板をリセットして、毛ローラーに残った埃を再度当て板に掃除して、毛ローラーと柔らかい当て板のリセットが集塵箱の口を密封して、集塵箱内の埃が出ることを防止することを特徴とする請求項１、３、６、７または８のいずれか一項に記載のエアコンフィルターセルフクリーニング装置。
【発明の詳細な説明】
【技術分野】
【０００１】
本発明はエアコンフィルターセルフクリーニング装置に関し、特に、自動的にエアコンの室内機の空気の吸い込み口側のフィルターを掃除することができるクリーニング装置に関する。
【背景技術】
【０００２】
従来、通常の分離式床置き型エアコンの集塵方式では、主に空気の吸い込み口の近くに設けられた空気フィルターで空気中の埃を吸着しているが、フィルターに溜まった埃が多すぎると、悪影響を及ぼしてくる。例えば溜まった埃が多すぎると、フィルターが目詰まりして、空気の循環が悪くなり、熱交換器での循環通風量が少なくなるので、冷房と暖房の効果に影響を与え、エアコンの能力が大幅に低減し、ランニングコストを増加させる。同時にフィルターに付着している一部の埃は循環風に従って再度室内に入る可能性があるため、室内の空気の品質に影響を与え、エアコンの健康機能に合致しないので、どのようにエアコンのフィルターに付着した埃を掃除するのか、すでにユーザーとエアコンのメーカーが共に関心を持っている問題になってきている。
現在では、市販のエアコンはフィルターの集塵方式が手による洗浄という方法にとどまっているが、交換が簡単な構造のフィルターを採用しているため、フィルターに埃が溜まると、アフターサービスの担当者やユーザーが自分で解体して洗浄する必要がある。このような方式はフィルターに付着した埃を一掃することができるが、頻繁な解体洗浄とメンテナンスの必要があるので、ユーザーにとって時間がかかる労力の負担になる。このような状況の中、国内外のエアコンメーカーの技術者は空気フィルターのセルフクリーニングに取り組み、技術上の突破を模索してきている。
特許文献１においては、吸着孔を持つ集塵テープの集塵方式を開示したが、それは吸着装置の吸着動作を吸着口に集中することによって、より強い吸着力を維持することができる。同時に集塵テープを駆動して、吸着口を移動することで、吸着位置を変更し、集塵装置で空気フィルターを走査し、それによって空気フィルターの全体の掃除を行う。しかし、このような方式は実際はコストが高く、加工技術も高度であるため作製が容易でない。また集塵テープはプラスチック製の薄いフィルムで作られ、一定の形の製品に加工する技術が難しく、集塵テープの駆動中に引張力と摩擦力に耐えなければならないので、材質が高くなければならない。同時に集塵テープは移動中に周りの部品と密着していることと、吸着孔のセンターラインとずれないことを確保しなければならないため、加工精度も非常に高くなければならない。したがって、集塵装置の長期にわたって使用すると、集塵テープの消耗は免れられない。
特許文献２においては、自動的にエアコンの室内機の空気の吸い込み口側の空気フィルターを掃除するセルフクリーニング装置を開示したが、吸着口のホルダーと吸着口を含む吸着口機構と、台座、フィルター、フィルターホルダー、モーター及びその回転駆動機構を含むフィルター機構とを含んでおり、上記の台座がエアコンの空気通路のスクロールケーシングに、上記のフィルターがフィルターホルダーに、上記のモーターが台座に固定され、上記の回転駆動機構の主導部品がモーターの出力軸と接続しており、フィルターホルダーが回転駆動機構の受動部品に固定され、その下に集塵口の吸着口ホルダーを設け、台座に固定し、吸着口が吸着口ホルダーに固定され、吸着口が集塵パイプを介して集塵器と接続している。こういった構造の集塵方式はフィルターの回転を通して、集塵口をフィルターに移動して集塵効果を達成するが、フィルターの回転がハイパワーの駆動モーターを必要とするので、大きな雑音を生じる。また、集塵口が細長い開口で、開口が比較的大きく、吸着力の効果が低いため、集塵の効果は好ましくなく、特にフィルターの中心から離れた場所では、集塵効果が更に低い。
そこで、本発明を開示する。
【先行技術文献】
【特許文献】
【０００３】
【特許文献１】中国特許第２００４１００５７５３５．９号
【特許文献２】中国特許第２００６１００３４９５５．４号
【発明の概要】
【課題を解決するための手段】
【０００４】
本発明の解決しようとする課題は従来の技術の欠点を解決するもので、フィルターを解体する必要がなく、いつでも洗浄することができ、時間と労力を節約し、雑音が小さく、集塵効果が優れているエアコンセルフクリーニング装置を提供する。
上記の課題を解決するために、本発明で採用される手段の基本的な構想としては、床置きエアコンの空気通路のスクロールケーシングの空気の吸い込み口のフィルターホルダーに装着し、フィルターの外側に配置されるブラシを有する掃除ユニットと、掃除ユニットに固定された駆動モーターと、駆動モーターと接続している伝動機構と、フィルターの左右に配置されたラックユニットと、フィルターの下に装着し埃を収集する集塵箱と、集塵箱とフィルターの間に装着した埃交換装置とを含み、上記の駆動モーターが伝動機構と接続し、掃除ユニットを駆動してラックユニットに沿ってフィルターに貼り付け上下にスライドし、ブラシで埃を落とし、更に埃交換装置を介して埃を集塵箱に入れることを特徴とするエアコンフィルターセルフクリーニング装置とする。
上記のフィルターホルダーはスクロールケーシングの空気の吸い込み口に固定され、上、下のホルダーに溝付けのフィルターガイドを設け、フィルターがガイドの溝でフィルターホルダーに固定する。
上記のラックユニットはフィルターの左右に設けたラック、それぞれラックと係り止めているラック防塵カバーとラックに装着し、掃除ユニットを制御するスクロールスイッチを含んで、スクロールスイッチがラックの上下に設けられ、ラック防塵カバーはラックの外側に係り止め、埃を防止する。防塵カバーとラックの間にフィルターの側に対応して隙間を設けている。
上記の掃除ユニットは、掃除ホルダーとブラシと掃除ユニット防塵カバーとを有し、掃除ホルダーがフィルターの外側に設けられ、ブラシがホルダーとフィルターに近づけた側に設けられ、掃除ホルダーがフィルターの左右に設けられているスライドシャフトを位置付け、上下スライドで埃を掃除し、スライドシャフトをフィルターホルダーに縦に装着する。
上記の駆動モーターと伝動機構は掃除ホルダーに設けられ、伝動機構が駆動軸、駆動軸の両端部に設けられた伝動歯車と両端の間に軸で固定された受動歯車を有し、伝動歯車がそれぞれフィルターの左右のラックと噛合し、駆動モーターが駆動歯車と受動歯車が噛み合うことで駆動軸の回転を動かし、それによって掃除ユニットを駆動し、ラックでスライドシャフトに沿って上下にスライドし、埃を吸い上げ、防塵カバーが掃除ホルダーの外側に係り止められ、埃を防止する。
上記のフィルターの下に集塵箱ホルダーを設けて、ホルダーが対外にフィルターと同じな平面にある板で、上下の開口溝を設けて、ホルダーが「日」の形を呈し、集塵箱が横方向にホルダーの下の開口溝に設けられ、集塵箱の開口が上へ向かって、上記の埃交換装置は集塵箱ホルダーの開口が外に向かった上開口溝に係り止められて、開口が外に向かって、掃除ユニットで落とされた埃が当該装置に止められて集塵箱に入る。
上記の埃交換装置は長方形の枠体で、枠体の横方向枢に埃を吸着する毛ローラーを設けて、毛ローラーが楕円柱体の構造で、リセット機構を有し、スプリングやエキスパンダーでもよいが、左右の両端が外側に向かって、またシフトブロックを設けている。
上記の埃交換装置は枠体内で毛ローラーの上方の内枢に沿って当て板を設け、当て板もリセット機構を設け、それの毛ローラーとの隣接面にフェルトを設け、第二回の埃の交換を実現する。毛ローラーの下にはその接線に沿って外に柔らかい当て板を設けている。
本発明における全体の装置の掃除動作として、駆動モーターが回転駆動歯車を動かして、駆動歯車が受動歯車とが噛合し、受動歯車が従動軸及び従動軸の両端の二つの伝動歯車と一緒に回転して、二つの伝動歯車がフィルターの左右のラックとそれぞれが噛合し、ラックがホルダーに固定され、全体のスライドユニットが上下にスライドすることができて、掃除ユニットのブラシがフィルターに付着した埃を落としてから、引き続き下にスライドして、埃交換装置を介して、埃を順次に毛状ロールと柔らかい当て板に吸着したり、止めたりして、埃交換装置を介して、ラックの下部のストロークスイッチに止められて、埃交換装置に戻る時、埃交換装置の左右端の左右のシフトブロックを動かし、毛ローラーと柔らかい当て板の回転を動かし、埃を集塵箱に入れて、スプリングやエキスパンダーで更に毛ローラーと柔らかい当て板をリセットし、毛ローラーに残った埃が当て板に再度掃除され、毛ローラーと柔らかい当て板をリセットし、集塵箱の口を密封し、集塵箱内の埃が出ることを防止する。
上記の手段を採用すると、本発明が現在の技術と比べて、下記の有利な効果を持っている。
【発明の効果】
【０００５】
本発明におけるフィルタークリーニング装置は歯車のラック駆動機構を通じて、ブラシを付けたホルダーの上下のスライドを動かし、ブラシはフィルターの表面に吸着された埃を落として、フィルターの下に集塵箱を設け、ブラシはフィルターから落とした埃を集塵箱に入れる。ユーザーは非常に長い期間集塵箱の中の埃を取る必要がない。このようなクリーニング装置はいつでもあるいは定時にフィルターを洗浄することができて、フィルターとエアコンの作動品質を確保して、エアコンが常時清新な空気を噴き出す。この装置は着脱が便利で、使用時に時間と力を節約して、いつでもあるいは定時にフィルターを洗浄することができる。また、フィルターの横方向に設けられたブラシを採用することで、集塵範囲が広く、埃が残らず、集塵効果が高くなる。また、掃除ユニットに設けられた駆動モーターで、掃除ユニットがスライドシャフトに沿って位置を付けることで、上下にスライドし雑音がきわめて小さくなる。
次に添付図を示して本発明の具体的な実施例を更に詳しく説明する。
【図面の簡単な説明】
【０００６】
【図１】本発明におけるエアコンフィルターセルフクリーニング装置をエアコンに据え付けた構造説明図である。
【図２】本発明におけるエアコンフィルターセルフクリーニング装置の構造説明図である。
【図３】は本発明におけるエアコンフィルターセルフクリーニング装置に埃防止カバーを据え付けた構造説明図である。
【発明を実施するための形態】
【０００７】
図１のように、本発明におけるエアコンフィルターセルフクリーニング装置は床置き型エアコンの空気通路のスクロールケーシング１の空気の吸い込み口のフィルターホルダー２に設けられ、フィルター３の外側に位置して、上記のフィルターホルダー２がスクロールケーシング１の空気の吸い込み口に固定され、上下のホルダーに溝付けのフィルターガイド２１を据え付けて、フィルター３がガイドの溝でフィルターホルダー２に固定されている。エアコンの作動中に、空気はフィルターを介して、ファンで空気通路のスクロールケーシングに吸い込まれ、更に熱交換器を介して、室内に流される。空気の中の埃はフィルターに吸着されて、しばらく時間が経った後、定時や手動でフィルタークリーニング装置を制御して、埃を落として集塵箱に入れる。
上記のフィルタークリーニング装置はブラシを有する掃除ユニット４、掃除ユニット４に接続している駆動モーター５、駆動モーター５と接続している伝動機構６、フィルター３の左右に設けたラックユニット７、フィルター３の下に設けられて埃を収集する集塵箱８及び集塵箱８とフィルター３の間に設けられた埃交換装置９を含み、上記の駆動モーター５は伝動機構６に接続して、掃除ユニット４を駆動し、ラックユニット７に沿ってフィルター３に貼り付けて上下にスライドし、それによってブラシが埃を落とし、更に埃交換装置９を介して埃を集塵箱８に入れる。
上記の掃除ユニット４は、掃除ホルダー４１、ブラシと掃除ユニット防塵カバー４２を含んで、掃除ホルダー４１がフィルターの外側に設けられ、ブラシがホルダー４１のフィルターに近づけた側（図示せず）に設けられ、掃除ホルダー４１がフィルター３の左右に設けられたスライドシャフト２２を位置付け、上下にスライドして、埃を掃除して、スライドシャフト２２がフィルターホルダー２に縦に装着する。あるいはラックの内側に近づけて溝を設けて掃除ホルダーの位置付け、それを溝に沿って上下にスライドする。
上記のラックユニット７はフィルター３の左右に設けられたラック７１、それぞれラック７１と係り止めているラック防塵カバー７２とラックに設けられて、掃除ユニット４をリミットするスクロールスイッチ７３を含んで、スクロールスイッチ７３がラック７１の上下に設けられ、ラック防塵カバー７２はラック７１の外側に係り止め、埃を防止する。防塵カバー７２とラック７１の間にフィルターの側に対応して隙間７４を設けている。スライドシャフト２２が平行にラック７１の外側に設けられ、防塵カバー７２はスライドシャフト２２も中に係り止め、防塵カバー７２とラック７１の間の隙間７４を掃除ホルダー４１の上下に位置するスライドの空間とする。本発明は一つのラックの上下両端に二つのストロークスイッチ(図２)を設けている。
上記の駆動モーター５と伝動機構６は掃除ホルダー４に設けられ、伝動機構６は駆動軸６l、駆動軸６lの両端部に設けられた伝動歯車６２と両端の間に軸固定された受動歯車６３を含んで、駆動軸６１が多くの固定クランプ６４で回転可能に掃除ホルダー４に固定され、伝動歯車６２がフィルターの左右のラック７１に噛合し、駆動モーター５が駆動歯車５１と受動歯車６３のかみ合いで駆動軸６１を動かして、それによって掃除ユニットを駆動し、ラック７１でスライドシャフト２２に沿って上下にスライドして埃を掃除し、防塵カバー４２が掃除ホルダー４１の外側に係り止められ埃を防止する。
上記のフィルター３の下に集塵箱ホルダー８１を設け、ホルダー８１が対外にフィルターと同じな平面にある板で、上下の開口溝を設けて、ホルダーが「日」の形を呈し、集塵箱８が横方向にホルダーの下の開口溝に設けられ、集塵箱の開口が上へ向かって、上記の埃交換装置９は集塵箱ホルダー７１の開口が外に向かった上開口溝に係り止められ、開口が外に向かって、掃除ユニットで落とされた埃が当該装置に止められて集塵箱に入る。上記の埃交換装置９は長方形の枠体で、枠体の横方向枢に埃を吸着する毛ローラー９１を設け、毛ローラー９１が楕円柱体の構造で、リセット機構を設けて、スプリングやエキスパンダーでもよいが、左右の両端が外側に向かって、またシフトブロック９２を設けている。
上記の埃交換装置は枠体内で毛ローラー９１の上方の内枢に沿って当て板９３を設けて、当て板９３もリセット機構を設け、それの毛ローラーとの隣接面にフェルトやブラシを設け、第二回の埃の交換を実現する。毛ローラーの下にはその接線に沿って外に柔らかい当て板９４を設けている。
掃除ユニットに上記の構造の具体的な動作を完成させるために、下記のことを満たさなければならない。二つのスクロールスイッチの上下の距離がフィルターの上側の縁から埃交換装置の下側の縁までの距離より小さくしてはいけない。
本発明における全体の装置の掃除動作として、駆動モーターが回転して駆動歯車を動かして、駆動歯車が受動歯車とを噛み合わせ、受動歯車が従動軸及び従動軸の両端の二つの伝動歯車と一緒に回転し、二つの伝動歯車がフィルターの左右のラックとそれぞれ噛合し、ラックをホルダーに固定し、全体のスライドユニットが上下にスライドすることができ、掃除ユニットのブラシがフィルターに付着した埃を落としてから、引き続き下にスライドして、埃交換装置を介して埃を順次に毛状ロールと柔らかい当て板に吸着したり、止めたりして、埃交換装置を介してラックの下部のストロークスイッチに止められ、埃交換装置に戻る時、埃交換装置の左右端の左右のシフトブロックを動かして、毛ローラーと柔らかい当て板の回転を動かして、埃を集塵箱に入れ、スプリングやエキスパンダーで更に毛ローラーと柔らかい当て板をリセットし、毛ローラーに残った埃が当て板に再度掃除され、毛ローラーと柔らかい当て板をリセットし、集塵箱の口を密封して、集塵箱内の埃が出ることを防止する。
上記の手段を採用すると、本発明が現在の技術と比べて、下記の有利な効果を持っている。
本発明におけるフィルタークリーニング装置は歯車のラック駆動機構を通じて、ブラシを付けたホルダーの上下のスライドを動かし、ブラシはフィルターの表面に吸着された埃を落として、フィルターの下に集塵箱を設け、ブラシはフィルターから落とした埃を集塵箱に入れる。ユーザーは非常に長い間隔を空けて集塵箱の中の埃を取ればよい。このようなクリーニング装置はいつでもあるいは定時にフィルターを洗浄することができて、フィルターとエアコンの作動品質を確保して、エアコンが常時清新な空気を吹き出す。この装置は着脱が便利であり、使用時に時間と労力を省き、いつでもあるいは定時にフィルターを洗浄することができる。
【図１】
2010525285.tif 000003
【図２】
2010525285.tif 000004
【図３】
2010525285.tif 000005
【国際調査報告】
2010525285.tif 000006
2010525285.tif 000007
2010525285.tif 000008
2010525285.tif 000009
2010525285.tif 000010